(57)【要約】【課題】  容易に再使用でき、かつ、再使用しても再使用とは気づかれないようにすることである。【解決手段】  ほぼ方形状の表片２の方形の対向する二辺から、左片３及び右片４が外方に繋がって折り返され、その先端が互いに容易に離脱可能なように連結される。表片２の他の一辺から裏片５が外方に繋がって、左片３及び右片４を間に挟んで、折り返される。表片２の残りの一辺から封止片６が外方に繋がって折り返され、裏片５に接着される。再使用時には、封止片６が裏片５から外され、反対側に折り返され、再び左片３及び右片４が互いに連結され、封止片６が裏片５に接着される。再使用時に裏返されるので、再使用しても封筒の美観を損ねない。【選択図】        図２
2005280816.tif 000002
【特許請求の範囲】
【請求項１】
ほぼ方形状の表片と、
この表片の方形の対向する二辺から外方に繋がるとともに、当該繋がる辺で同じ方向に折り返されて、当該先端が互いに容易に離脱可能なように連結される左片及び右片と、
上記左片及び右片が繋がる辺以外の表片の一辺から外方に繋がるとともに、上記左片及び右片を間に挟んで当該繋がる辺で折り返される裏片と、
この裏片、左片及び右片が繋がる辺以外の表片の一辺、または当該裏片の先の一辺から外方に繋がるとともに、当該繋がる辺で折り返され、上記裏片または表片に接着される封止片とを備えたことを特徴とする封筒。
【請求項２】
上記裏片の先の辺から外方に繋がるとともに、当該繋がる辺で折り返され、上記左片及び右片と上記表片との間に挿入される係止片をさらに備えたことを特徴とする請求項１記載の封筒。
【請求項３】
上記左片及び右片の連結、及び／または上記裏片の係止片の係止には、接着手段は使用されないことを特徴とする請求項１または２記載の封筒。
【請求項４】
上記裏片、左片及び右片は、上記表片より小さく、折り返したとき表片からはみ出さず、上記係止片は裏片より小さく、折り返したとき裏片からはみ出さないことを特徴とする請求項１、２または３記載の封筒。
【請求項５】
上記左片または右片のうち、一方の片の先端に凸状の挿入片が形成され、他方の片にこの挿入片が挿通される切れ目が形成されることを特徴とする請求項１、２、３または４記載の封筒。
【請求項６】
上記左片または右片のうち、一方の片の先端からおおよそ上方に延びる切れ目が形成され、他方の片の先端からおおよそ下方に延びる切れ目が形成され、一方の切れ目と他方の切れ目とが係合され、左片及び右片を連結したとき両切れ目の一番奥の地点は互いにほぼ一致することを特徴とする請求項１、２、３または４記載の封筒。
【請求項７】
上記封止片は先端部と基部とからなり、先端部ばかりでなく基部まで裏片に到達可能であり、当該封筒の最初の使用では先端部のみが上記裏片に接着され、再使用では基部が先端部から切り離され、裏返されてこの基部のみが裏片に接着されることを特徴とする請求項１、２、３、４、５または６記載の封筒。
【請求項８】
再使用では、上記裏片に接着された封止片は使用されず、代わりに、上記係止片が、封止片として使用されることを特徴とする請求項１、２、３、４、５、６または７記載の封筒。
【請求項９】
上記表片の高さ／幅は裏片の高さ／幅より大きく、再使用時では、上記係止片の高さ／幅が短くなるように新たに折り返され、上記表片の高さ／幅は裏片の高さ／幅とほぼ同じとなり、係止片は封止片として使用されることを特徴とする請求項８記載の封筒。
【発明の詳細な説明】
【技術分野】
【０００１】
本発明は、封筒に関するものであり、詳しくは、再使用できる封筒に関するものである。
【背景技術】
【０００２】
手紙等の文書を郵便で出すには、これらを封筒に入れて、この封筒に宛名書き等をするとともに、これに郵便切手を貼って投函する必要がある。この場合、差出人が受取人から返信を求めるには、差し出し封筒内に、文書とともに返信用封筒を同封するのが一般的である。
【０００３】
ところが、返信用封筒の同封には、手間と費用がかかるため、差し出し用のものを返信用にも使えるようにした封筒も提案されている（例えば、特許文献１参照）。この封筒は、図１８で示されるように、裏片１００の上下両側にある、返信片１０１と表片１０２とを裏片１００側に折り曲げるとともに、裏片１００の左右両側にある左辺１０３と右辺１０４とを表片１０２側に折り曲げて糊付けすることにより形成される。
【０００４】
この封筒では、裏片１００と表片１０２等とで形成される隙間内に手紙等を差し込んだ後、表片１０２の一端側に形成された封止片１０５を裏片１００側に折り曲げて糊付けをする。この場合、表片１０２と封止片１０５とに形成されたミシン目状の切込線１０６，１０７が互いに重なり合うように位置決めされる。もちろん、投函に当たり、表片１０２の表面に宛名書き等をして、郵便切手を貼る必要がある。
【０００５】
一方、この封筒の受取人は、切込線１０６，１０７の位置から、表片１０２の一部と封止片１０５の一部とを切り離して、この封筒を開封する。そして、差出人に返信を出す場合には、差出人の宛名等が予め記載された返信片１０１を外方に引き出して、離片１００と表片１０２間に手紙等を差し込んだ後、この返信片１０１を表片１０２側に折り曲げて糊付けすればよい。
【０００６】
【特許文献１】特開平２−１９１１５８号公報
【発明の開示】
【発明が解決しようとする課題】
【０００７】
しかしながら、上述の封筒では、返信片１０１を外方に手際よく引き出す都合上、この返信片１０１を表片１０２より充分に小さく形成しておく必要がある。このため、この封筒を返信用に使用する場合、返信片１０１で表片１０２の表面を充分に覆うことができず、返信片１０１横に、当所の宛名書き等が露出し易いという問題がある。また、この封筒では、これを返信用に使用する場合、封止片１０５の一部が裏片１００に接着されたままのものを使用しなければならないという問題もある。さらに、この封筒では、当初の使用で外面が汚れると、返信に当たっても、汚れたままのものを使用しなければならないという問題もある。
【０００８】
そこで本発明は、上述した課題を解決するためになされたものであり、簡単に再使用できるとともに、再使用に当たっても再使用とは気づかれにくい封筒を提供することを目的とする。
【課題を解決するための手段】
【０００９】
上記目的を達成するために、本発明は、ほぼ方形状の表片の方形の対向する二辺から、左片及び右片が外方に繋がって折り返され、その先端が互いに容易に離脱可能なように連結される。表片の他の一辺から裏片が外方に繋がって、左片及び右片を間に挟んで、折り返される。表片の残りの一辺または裏片の先の一辺から封止片が外方に繋がって折り返され、裏片または表片に接着される。再使用時には、封止片が裏片から外され、反対側に折り返され、再び左片及び右片が互いに連結され、封止片が裏片に接着される。
【００１０】
本発明では、初期使用の封筒は、左片と右片とを表片側に折り重ねた後、裏片を左片と右片側に重ねるように折り、最後に封止片を裏片側に重ねるように折ることにより形成されている。この場合、表片側に折り重ねられた左片と右片とは、互いに連結され、使用中に、これらが外方に飛び出してしまうのが防止されている。再使用の封筒は、初期使用の封筒の封止片を裏片からはがし、つづいて、裏片、左片、右片を元の状態に折り返した後、これを裏返して、初期使用の封筒の場合と同様に折り重ねることにより形成される。なお、受取人の住所等の記載や切手の貼り付けは表片側に行い、差出人の住所等の記載は、表片側又は裏片側に行えばよい。
【発明の効果】
【００１１】
本発明では、初期使用の封筒の内面が、再使用の封筒の外面となるので、再使用に当たって、封筒の美観は損なわれない。したがって、この発明では、初期使用の封筒の外面が、差出人や受取人の情報記載（住所氏名等の記載）や切手の貼り付け、封止片の引きはがし、配達中の泥等の付着等によって汚れていても、再使用に当たって、この封筒が再使用のものであると気づかれることはない。
【発明を実施するための最良の形態】
【００１２】
（１）第１の実施形態に係る封筒の構成
図１はこの発明の一実施の形態に係る封筒１（初期使用封筒１Ａと再使用封筒１Ｂ）を作るための封筒用紙Ａを示している。また、図２は封筒用紙Ａを折り曲げて初期使用封筒１Ａを作っている状態を示している。
【００１３】
封筒用紙Ａは、封筒製作に適した紙厚と紙質とを有した紙を所定形状にカットし、所定部分に折り目処理と糊付処理と印刷処理とを施したものである。この封筒用紙Ａは、所定部分を折り目線Ｐ１，Ｐ２・・の位置で１８０度折り曲げることにより、初期使用封筒１Ａと再使用封筒１Ｂからなる封筒１を容易に形成できるものである。
【００１４】
この折り目線Ｐ１，Ｐ２・・は本件図面では全て波線で描かれているが実際は直線的な形状をしている。ここで、封筒用紙Ａは、図１で示されている面（初期使用封筒１Ａの内面側となり、再使用封筒１Ｂの外面側となる面）が、例えば表面Ｎ１となり、この裏側の面（初期使用封筒１Ａの外面側となり、再使用封筒１Ｂの内面側となる面）が裏面Ｎ２となる。
【００１５】
封筒用紙Ａには、図１で示されるように、表片２の短辺側の左右両側に、折り目線Ｐ１，Ｐ２を介して、左片３と右片４とが繋がるように形成されている。また、封筒用紙Ａには、表片２の長辺側の下側に、折り目線Ｐ３を介して、裏片５が繋がるように形成され、上側に、折り目線Ｐ４を介して、封止片６が繋がるように形成されている。さらに、封筒用紙Ａには、裏片５の長辺側端部（下側）に、折り目線Ｐ５を介して、係止片７が繋がるように形成されている。
【００１６】
ここで、折り目線Ｐ１〜Ｐ５には、表片２等に対して、左片３、右片４、裏片５、封止片６、係止片７を封筒用紙Ａの表面Ｎ１側にも、裏面Ｎ２側にも容易に折り曲げられる折り目処理が施されている。この折り目処理は、例えば、封筒用紙Ａをその表面Ｎ１側に一度谷折りして折り目を付けることにより、又は、紙面に浅い溝や窪み部又は段部を形成することによりなすことができる。また、この折り目処理は、例えば、紙を破線状又はピッチの荒いミシン目状にカットすることでもなすことができる。
【００１７】
表片２は、封筒１の表面（受取人の住所や氏名を記載したり、切手を貼る面）を形成するものであり、図１で示されるように、四方が折り目線Ｐ１，Ｐ２，Ｐ３，Ｐ４で囲まれている。この表片２は、一般的な封筒サイズ、例えば、長辺サイズ（幅サイズ）Ｒ１が２３５ｍｍ、短辺サイズ（高さサイズ）Ｒ２が１２０ｍｍの長方形（方形）状に形成されている。表片２には、表面Ｎ１側の、左片３と封止片６との角部に、例えば７桁の郵便番号記入枠Ｗ１が印刷されており、裏面Ｎ２側の、右片４と封止片６との角部に、同様な７桁の郵便番号記入枠Ｗ２が印刷されている。
【００１８】
左片３及び右片４は、図１で示されるように、上下の高さ／幅が、表片２のそれより小さくなるよう、上端側と下端側とが内側に傾斜するように形成されている。また、左片３及び右片４は、折り目線Ｐ１，Ｐ２の位置で表片２上に折り曲げられた際に、係止部である、上突部３０と下突部４０とを介して互いに連結できるように、左右幅が表片２の１／２よりやや長く形成されている。左片３の上突部３０は、左端の中程から下向きの凸円弧部３０ａを形成するように、左片３の左端側下部を切除することにより形成されている。この凸円弧部３０ａの右端側は上向きに所定量だけ切り込まれている。この切込みＫ１の最奥端Ｓ１は、左片３が表片２上に折り曲げられた際に、表片２の中心点Ｚと重なる位置に形成されている。
【００１９】
右片４は、表片２上の中心点Ｚを中心に、左片３と点対象となるように形成されている。すなわち、右片４の下突部４０は上部に上向きの凸円弧部４０ａが形成され、その左端側は、下向きに所定量だけ切り込まれている。この切込みＫ２の最奥端Ｓ２は、右片４の表片２側への折り曲げ時に、表片２の中心点Ｚとほぼ重なる位置に設けられている。
【００２０】
左片３と右片４とを連結するには、これらを表片２側に折り曲げる際に、左片３と右片４等を少し曲げて、上突部３０横の切り込みＫ１と下突部４０横の切り込みＫ２とを位置合わせする。このことにより、左片３の上突部３０と右片４の下突部４０とは、左片３と右片４の折り曲げにしたがって、切込みＫ１，Ｋ２の最奥端Ｓ１，Ｓ２の位置で突き合わされ、例えば、右片４の上方に左片３の上突部３０を位置させ、左片３の上方に右片４の下突部４０を位置させた状態で互いに絡み合い、左片３と右片４とを連結させる。
【００２１】
裏片５は、封筒１の裏面（例えば、差出人の住所や氏名等を記載する面）を形成するものであり、表片２と同一サイズに形成されている。なお、係止片７との関係で、裏片５の折り目線Ｐ５側は、表片２の幅サイズＲ１より僅かに小さく形成されていてもよい。
【００２２】
封止片６は、封筒１を封止するためのものである。この封止片６には、折り目線Ｐ４を介して表片２に接する下端の基部６０と上端の先端部６１との間に、切り離し可能な切除部６２が形成されている。基部６０は、封筒１の再使用時に、この封筒１Ｂの封止をするためのものである。この基部６０は、上端が表片２の幅サイズＲ１より小さくなるよう、左右両端が上方に向かって内向きに傾斜するように形成されている。
【００２３】
切除部６２は初期使用封筒１Ａの開封時に切除されるものである。この切除部６２は、高さ／幅が２〜３ｍｍの帯状に形成されており、左右長さが基部６０の上端より所定長さだけ長く形成されている。切除部６２の基部６０と先端部６１とに接する位置には、容易に切断できるように、ミシンの縫い目状の多数の孔又は破線状の多数の小切れ目からなる切込線Ｌ１，Ｌ２が形成されている。
【００２４】
先端部６１は、初期使用封筒１Ａの封止をするためのものであり、切除部６２の両端がつまみになるように、左右の長さが基部６０の上端長さと略同一となるように形成されている。この先端部６１の表面Ｎ１側は、糊を塗布して乾燥させ、水の塗布により接着力が出せる（糊付処理が施された）糊付部Ｊ１となっている。
【００２５】
係止片７は、折り目線Ｐ１，Ｐ２の位置で表片２側に折り曲げられた左片３と右片４の上端側から、この左片３及び右片４と、表片２との間に折り入れられる。この係止片７は、裏片５が左片３や右片４側から容易に離脱する（離れる）のを防止するためのものである。係止片７は左右端が下向きに接近するように形成されており、全体としては、封止片６の基部６０と略同じ大きさに形成されている。なお、係止片７は、左片３及び右片４と表片２との間にこれを折り入れる関係上、折目線Ｐ５側の長さが、表片２の長辺サイズＲ１より僅かに小さくなるように形成されている。
【００２６】
（２）第１の実施形態に係る封筒の作成。
図３は初期使用封筒１Ａの作成過程を示している。
まず、図３の（ａ）で示されるように、封筒用紙Ａの左片３と右片４とを、折り目線Ｐ１，Ｐ２の位置で表片２側に折り重ねる。この場合、左片３の上突部３０と右片４の下突部４０とを、切込みＫ１，Ｋ２の最奥端Ｓ１，Ｓ２の位置で突き合わせた状態で上下に絡み合わせ、左片３と右片４とが容易に離れないようにする。
【００２７】
つぎに、図３の（ｂ）で示されるように、裏片５と係止片７とを、折り目線Ｐ３の位置で表片２側に折り曲げる。つづいて、係止片７を折り目線Ｐ４の位置で表片２側に折り曲げ、これを左片３及び右片４と表片２との間に差し込む。このことにより、左片３と右片４とは、裏片５で覆われ、左片３及び右片４と表片２との間に文書の収納隙間が形成される。そして、図３（ｃ）で示されるように、封止片６を折り目線Ｐ４の位置で裏片５上に折り曲げることにより、初期使用封筒１Ａが形成される。
【００２８】
図３の（ｄ）は、封筒１Ａの表片２側を示しており、ここに、受取人の住所Ｕ１、氏名Ｕ２、郵便番号Ｕ３や、差出人の住所・氏名Ｕ４等を記載するとともに、郵便切手Ｔを貼る（図５の（ｂ）参照）。もちろん、差出人の住所・氏名Ｕ４等は、裏片５側に記載してもよい。そして、封筒１Ａ内に必要な文書を入れた後は、封止片６の先端部６１の糊付部Ｊ１を水でぬらして、これを裏片５に貼り付ければ、封筒１Ａは投函できる状態となる。
【００２９】
図４〜図６は、例えば返信用に用いられる再使用封筒１Ｂの形成過程を示している。
まず、図４の（ａ）で示されるように、封筒１Ａの切除部６２の端をつまんで、２つの切込線Ｌ１，Ｌ２に沿って、切除部６２を切り離し、封筒１Ａを開封する。そして、封止片６の基部６０を、図４の（ｂ）で示されるように、折り目線Ｐ４の位置から上方に折り返して、封筒１Ａ内から手紙等を取り出す。つづいて、図４（ｃ）で示されるように、裏片５と係止片７とを、折り目線Ｐ５の位置から上方に折り返した後、裏片５を、折り目線Ｐ３の位置から下方に折り返す。この場合、封止片６の先端部６１は裏片５の裏面Ｎ２側に貼り付けられたままとなっている。
【００３０】
つぎに、図５の（ａ）で示されるように、左片３及び右片４を、折り目線Ｐ１，Ｐ２の位置から左方及び右方に折り返して、封筒１Ａを平らな封筒用紙Ａ１の状態にする。この場合、左片３や右片４等を軽く曲げつつ、切り込みＫ１，Ｋ２を介した上突部３０と下突部４０との係合を解除し、左片３と右片４との連結を解除する。つづいて、図５の（ｂ）で示されるように、封筒用紙Ａ１を裏返しにし、住所Ｕ１等の記載された裏面Ｎ２が再使用封筒１Ｂの内面側にくるようにする。
【００３１】
つぎに、図６の（ａ）で示されるように、折り目線Ｐ１，Ｐ２の位置で封筒用紙Ａ１の左片３と右片４とを表片２側に折り重ね、これらを、上突部３０と下突部４０とを介して連結する。この状態で、当初の住所Ｕ１等は左片３と右片４とに覆われて見えなくなる。つづいて、図６の（ｂ）で示されるように、折り目線Ｐ３の位置で裏片５と封止片６の基部６０とを左片３と右片４上に折り重ね、裏片５により左片３と右片４とを覆うとともに、封止片６の先端部６１が見えないようにする。つづいて、折り目線Ｐ５の位置で封止片６の基部６０を、左片３及び右片４と表片２との間に折り入れて、左片３及び右片４と表片２間に文書の収納隙間を形成する。
【００３２】
つづいて、図６の（ｃ）で示されるように、封止片６の基部６０を、折り目線Ｐ４の位置で裏片５上に折り曲げることにより、再使用封筒１Ｂが形成される。図６（ｄ）は封筒１Ｂの表片２側を示しており、ここに、新たな受取人の住所Ｕ１、氏名Ｕ２、郵便番号Ｕ３を記載するとともに、郵便切手Ｔを貼る。また、例えば、ここに、新たな差出人の住所・氏名Ｕ４等を記載する。そして、封筒１Ｂ内に手紙等を入れた後、封止片６の基部６０に糊付けをして、これを裏片５に貼り付ければ、この封筒１Ｂは投函できる状態となる。
【００３３】
（２）第１の実施形態に係る封筒１の効果
この封筒１では、表片２、左片３、右片４、裏片５、係止片７を備えた封筒用紙Ａを、折り目線Ｐ１〜Ｐ４の位置で折り曲げるだけで、初期使用封筒１Ａが形成されているので、折り目線Ｐ１〜Ｐ４を当初と逆側に折り曲げることにより、初期使用封筒１Ａの内面側を外面側にした再使用封筒１Ｂを容易に形成できる。
【００３４】
したがって、この封筒１では、初期使用封筒１Ａの外面が、切手Ｔの貼付や、受取人の住所Ｕ１や差出人の住所等の記載で汚れていても、又、初期使用封筒１Ａの外面が郵送中に泥等で汚れたとしても、再使用封筒１Ｂの外面を新品同様にすることがでる。したがって、この封筒１では、再使用時に、その美観が損なわれてしまうことはなく、かつ、再使用と気づかれることもない。
【００３５】
なお、初期使用において、封止片６は裏片５側に接着されるが、この接着力を弱くして、封止片６を裏片５側から引きはがせるようにしたり、封止片６を部分的にカットし、裏片５に接着していない部分が新たな封止片となるようにすれば、再使用における封筒の封止も容易となる。
【００３６】
また、この封筒１では、折り曲げに当たり、左片３と右片４とに形成された係止部（上突部３０と下突部４０）を切り込みＫ１，Ｋ２を介して互いにからみ合わせ、左片３と右片４とを離脱可能に連結している。したがって、この封筒１では、封筒１の配達中に、左片３や右片４が折り返されて封筒１から出てしまう（故意に出されて手紙等を見られる）のを防止できる。この場合、上突部３０と下突部４０とは、左片３と右片４とを表片２側に折り曲げたときに同じ位置にくる、切り込みＫ１，Ｋ２の最奥端Ｓ１，Ｓ２位置で、互いに突き合わせるように位置決めされるので、左片３と右片４とは、左右移動が防止された状態で、しっかりと連結される。
【００３７】
なお、左片３と右片４とを表片２側に折り重ねた場合に、切込みＫ１，Ｋ２の、互いの最奥端Ｓ１，Ｓ２の位置は必ずしも一致せず遊びがあってもよい。左片３と右４を表片２側に折り曲げた場合に、切込みＫ１，Ｋ２の最奥端Ｓ１，Ｓ２の位置が離れていても、上突部３０と下突部４０どうしが、切込みＫ１，Ｋ２を介して絡み合っておれば、左片３と右４とはある程度連結できるからである。しかし、最奥端Ｓ１，Ｓ２の位置が一致していれば、左片３と右片４との連結を強固にできる。
【００３８】
さらに、この封筒１では、封筒用紙Ａの裏片５側に、表片２側に折り曲げられた左片３及び右片４と表片２との間に折り入れられる係止片７を備えているので、この係止片７によって裏片５を左片３及び右片４側にしっかりと保持させることができる。
【００３９】
このように左片３、右片４及び係止片７との間には接着剤などの接着手段は使用されない。したがって、初期使用封筒１Ａ、１Ｃの再使用にあたって、この封筒を容易に裏返すことができる。なお、左片３と右片４とは、引きはがし容易な接着剤・接着テープその他の接着手段を用いて連結してもよい。また、係止片７も、同様な接着剤・接着テープその他の接着手段を用いて、左片３や右片４に接着してもよい。
【００４０】
また、この封筒１では、封止片６を裏片５側の基部６０と、端部の先端部６１とに分け、先端部６１のみでなく基部６０側も裏片５側に達するようにしている。このため、この封筒１では、初期使用封筒１Ａの封止と再使用封筒１Ｂの封止とを、封止片６の先端部６１と基部６０とでそれぞれ行うことができ、封止の容易化を図ることができる。さらに、この封筒１では、基部６０と先端部６１との間に、切り離し容易な切除部６２を設けている。このため、この封筒１では、切除部６２の切除によって、初期使用封筒１Ａの開封の容易化や再使用封筒１Ｂの作成の容易化を図ることができる。
【００４１】
（４）第１の実施形態に係る封筒の変更実施例。
封筒１の表片２、左片３、右片４、裏片５、封止片６、係止片７のいずれか、これらのいくつかを組合せたもの、または全てが、１枚又は複数枚の封筒用紙から形成されていてもよい。例えば、封筒用紙Ａから左片３と右片４とを除いたものと、表片２の左右に左片３と右片４のみを有する封筒用紙とを組合せて（互いの表片２どうしを重ね合うようにして）封筒１を形成するようにしてもよい。
【００４２】
封筒用紙Ａには、折り目処理、糊付処理、印刷処理の内のすべてが施されていなくてもよく、かつ、これらの処理が全くなされていなくてもよい。また、また、糊付処理のかわりに、両面テープ（一面側は例えば樹脂シートで覆われたもの）を使用してもよい。
【００４３】
左片３、右片４、及び裏片５、さらには封止片６及び係止片７は、例えば、方形、台形、三角形、半円形等どのような形状をしていてもよい。この場合、左片３と右片４とは、互いに異なる形状（一部のみが異なる形状も含む）であってもよいし、大きさ（特に左右長さ）が異なってもよい。また、左片３と右片４とは、互いに線対称又は点対称に形成されていてもよい。さらに、左片３、右片４、及び裏片５は、表片２より小さいほうがよいが、大きくても、折り曲げ等によって、封筒１を形成した場合に、表片２より小さくなればよい。
【００４４】
表片２は、角の一部又は全部がとれた八角形、七角形、六角形、又は五角形状のものであってもよい。また、封止片６及び係止片７は、帯状、三角形状、方形状、台形状、半円形状、三日月状など、どのような形状のものであってもよい。
【００４５】
図７は左片３と右片４とを連結する他の係止部を示している。
図７の（ａ）は切り込みが設けられない係止部を示している。この係止部は、下部がＶ状突起３１ａとなった、左片３の上突部３１と、上部がＶ状突起４１Ａとなった、右片４の下突部４１とから構成されている。左片３と右片４とは、これらが表片２側に折り曲げられた場合、例えば、左片３の上突部３０が右片４上に重ねられ、右片４の下突部４０が左片３上に重ねられて、上突部３０と下突部４０とが絡み合うことにより連結される。この場合、左片３と右片４とが表片２側に折り曲げられると、Ｖ状突起３１ａ，４１ａ横の、互いのＶ溝点Ｘ１，Ｘ２が同一位置に位置決めされるので、左片３と右片４とは、上突部３１と下突部４１とがＶ溝点Ｘ１，Ｘ２で突き合わされ、左右移動が防止される。
【００４６】
図７の（ｂ）は、係止部を、左片３の左端と右片４の右端とにそれぞれ設けた、斜状の切れ目３２，４２によって構成する場合を示している。この場合、左片３と右片４とが表片２側に折り曲げられた場合、切れ目３２，４２の最奥端Ｓ４，Ｓ５どうしは同一位置にくるように位置決めされる。なお、切れ目３２，４２は、左片３と右片４とが表片２側に折り曲げられた場合、互いに交差するように形成されていてもよい。
【００４７】
図７の（ｃ）は、係止部を、左片３の下端と右片４の上端とにそれぞれ設けた、上下の切れ目３３，４３によって構成する場合を示している。この場合も、左片３と右片４とが表片２側に折り曲げられた場合、切れ目３３，４３の最奥端Ｓ６，Ｓ７どうしは同一位置になるように位置決めされる。なお、この場合においても、切れ目３３，４３は、左片３と右片４とが表片２側に折り曲げられた場合に、互いに交差するように形成されていてもよい。
【００４８】
（５）第２の実施形態に係る封筒の構成。
図８はこの発明の他の実施の形態に係る封筒１（初期使用封筒1Ｃ、再使用封筒１Ｄ）を作るための封筒用紙Ｂを示している。また、図９は封筒用紙Ｂを折り曲げて初期使用封筒1Ｃを作っている状態を示している。なお、この実施形態における、封筒用紙Ｂ、表片２Ａ、左片３Ａ、右片４Ａ、裏片５Ａ、封止片６Ａ、係止片７Ａは、第１の実施形態における、封筒用紙Ａ、表片２、左片３、右片４、裏片５、封止片６、係止片７と機能的に対応するものであり、基本的に、これらと同一の機能を有するものである。したがって、第１の実施形態で説明したものと異なる部分（例えば、同一符号を付していない部分）についてのみ、以下説明を行うものとする。
【００４９】
表片２Ａは、表片２と同一サイズのものである。この表片２Ａには、図８で示されるように、折り目線Ｐ３近傍に、この折り目線Ｐ３に沿うように、切込線Ｌ１，Ｌ２と同様な切込線Ｌ３が設けられている。また、表片２Ａには、図８で示される封筒用紙Ｂの表面Ｎ１（初期使用封筒1Ｃの内面側となり、再使用封筒１Ｄの外面側となる）側の右片４Ａ及び裏片５Ａと接する角に、再使用封筒１Ｄ用の郵便番号記入枠Ｗ１が印刷され、裏面Ｎ２側の左片３Ａ及び裏片５Ａと接する角に、初期使用封筒1Ｃ用の郵便番号記入枠Ｗ２が印刷されている。
【００５０】
左片３Ａ及び右片４Ａは、図８で示されるように、上端が、表片２Ａの折り目線Ｐ４側部分、すなわち、角肉部Ｇ１，Ｇ２を除いて、この角肉部Ｇ１，Ｇ２の分だけ折り目線Ｐ４より低い位置に形成されている。また、左片３Ａ及び右片４Ａには、表片２Ａ側の切込線Ｌ３が角肉部Ｇ１，Ｇ２を貫くように形成されている。左片３Ａには、左端寄り中央に上下に向く内部切れ目３４が形成され、右片４Ａには、右端側中央に、内部切れ目３４への挿入片としての突起部４４が形成されている。
【００５１】
内部切れ目３４及び突起部４４は、左片３Ａと右片４Ａとを表片２Ａ側に折り曲げた場合、これらを連結する係止部となるものである。突起部４４は、先端が半円より大きい円弧部４４ａとなり、根元はやや細くなっている。内部切れ目３４は、左片３Ａと右片４Ａとを表片２Ａ側に折り曲げた場合、突起部４４の根本に位置するように形成されている。なお、内部切れ目３４の長さは、突起部４４の円弧部４４ａの上下サイズと略同一となっている。
【００５２】
裏片５Ａは、これを表片２Ａ上の左片３Ａや右片４Ａ側に折ったときに、上端（折り目線Ｐ５の位置）が、左片３Ａ及び右片４Ａの角肉部Ｇ１，Ｇ２を除く上端と一致するように、すなわち、高さ／幅が表片２Ａのそれより小さくなるように形成されている。また、裏片５Ａは、左右の両端が、折り目線Ｐ５側（下側）に向かって、内側に向くように傾斜していて、折り目線Ｐ５側の幅が、左片３Ａ及び右片４Ａの角肉部Ｇ１，Ｇ２を除く上端の幅より小さくなるように形成されている。
【００５３】
封止片６Ａは、初期使用封筒１Ｃを封止するものであり、図８で示されるように、上部が狭くなった台形状に形成されている。この封止片６Ａには、折り目線Ｐ４に対して、切込線Ｌ３と対象の位置に、これと同様な切込線Ｌ４が形成されている。また、封止片６Ａには、切込線Ｌ４よりやや上部の表面Ｎ１側に、糊付処理が施された糊付部Ｊ２が設けられている。
【００５４】
係止片７Ａには、図８で示されるように、折り目線Ｐ５よりやや下方に、この折り目線Ｐ５と平行な、折り目線Ｐ６が形成されている。また、係止片７Ａには、折り目線Ｐ６の下方に再使用封筒１Ｄの封止片として機能する封止部７０が形成されている。さらに、この係止片７には、封止部７０の折り目線Ｐ６よりやや下方の裏面Ｎ２側に、糊付処理が施された糊付部Ｊ３が設けられている。
【００５５】
なお、この封筒１では、折り目線Ｐ４，Ｐ５は、封筒用紙Ｂの表面Ｎ１側が谷になるように折られるのみであり、かつ、折り目線Ｐ６は、封筒用紙Ｂの表面Ｎ１側が山になるように折られるのみである。したがって、折り目線Ｐ４，Ｐ５，Ｐ６には、そのような折り目処理がなされておればよい。
【００５６】
（６）第２の実施形態に係る封筒１の作成等。
図１０は、初期使用封筒１Ｃの作成過程を示している。
まず、図１０の（ａ）で示されるように、封筒用紙Ｂの左片３Ａと右片４Ａとを、折り目線Ｐ１，Ｐ２の位置で表片２Ａ上に折り重ねる。この場合、左片３Ａの内部切れ目３４に右片４Ａの突起部４４を差し込み、左片３Ａと右片４Ａとを連結する。つぎに、図１０の（ｂ）で示されるように、折り目線Ｐ３の位置で裏片５Ａと封止片６Ａとを表片２Ａ側に折り重ねる。
【００５７】
また、係止片７Ａを折り目線Ｐ５の位置で折って、これを左片３Ａ及び右片４Ａと、表片２Ａとの間に差し込む。つづいて、図１０の（ｃ）で示されるように、封止片６Ａを、折り目線Ｐ４の位置で裏片５Ａ上に折り曲げることにより、切込線Ｌ３，Ｌ４が重ねられて、初期使用封筒１Ｃが形成される。図１０の（ｄ）は封筒１Ｃの表片２Ａ側を示しており、ここに、郵便切手Ｔが貼られるとともに、受取人の住所等が記載される。この封筒１Ｃは、内部に手紙等を入れて、封止片６Ａの糊付部Ｊ２を水でぬらし、これを裏片５Ａに接着することにより、投函できる状態となる。
【００５８】
図１１〜図１３には再使用封筒１Ｄの作成過程を示している。
まず、図１１の（ａ）で示されるように、封筒１Ｃの切込線Ｌ３，Ｌ４に沿って、封止片６Ａや表片２Ａの一部（以下開封部８という）を切り取って、封筒１Ｃを開封する。この場合、裏片２Ａの上端は、切込線Ｌ３，Ｌ４より下方にあるので、開封に不都合は生じない。そして、図１１の（ｂ）で示されるように、係止片７Ａを折り目線Ｐ５位置から上方に折り返し、図１１の（ｃ）で示されるように、裏片５Ａ等を折り目線Ｐ３の位置から下方に折り返す。この場合、封止片６Ａの一部（以下封止貼着部６３という）は裏片５Ａに貼り付けられたままとなっている。
【００５９】
つづいて、図１２の（ａ）で示されるように、右片４Ａの突起部４４を左片３Ａの内部切れ目３４から引き出して、これらの連結を解除する。そして、左片３Ａと右片４Ａとを折り目線Ｐ１，Ｐ２の位置から左方及び右方に折り返して、ほぼ元の状態に折り返された封筒用紙Ｂ１を形成する。つづいて、図１２の（ｂ）で示されるように、封筒用紙Ｂ１を裏返しにし、住所Ｕ１の記載された表面Ｎ１側が再使用封筒１Ｄの内面側になるようにする。
【００６０】
つぎに、図１３の（ａ）で示されるように、折り目線Ｐ１，Ｐ２の位置で封筒用紙Ｂ１の左片３Ａと右片４Ａとを表片２Ａ側に折り重ね、これらを、内部切れ目３４と突起部４４とを介して連結する。つづいて、図１３の（ｂ）で示されるように、折り目線Ｐ３の位置で裏片５Ａ等を表片２Ａ側に折り重ねる。また、図１３の（ｃ）で示されるように、折り目線Ｐ６の位置で係止片７Ａを表片２Ａ側に折り曲げる。
【００６１】
このことにより、裏片５Ａの高さ／幅が表片２Ａのそれと同一となって、係止片７が封止片の役割を果たすこととなり、再使用封筒１Ｄが形成される。図１３の（ａ）は封筒１Ｄの表片２Ａ側を示しており、ここに新たな受取人の住所等を記載するとともに、郵便切手を貼る。また、例えば、ここに新たな差出人の住所等を記載する。そして、封筒１Ｄ内に手紙等を入れた後、係止片７Ａに糊付けをして、これを表片２Ａに貼り付ければ、この封筒１Ｄは投函できる状態となる。
【００６２】
このように、この封筒１では、裏片５Ａの上下高さ／幅を表片２Ａのそれより小さくしているので、開封時に当たって封筒１Ｃの一部を切り離す場合に、裏片５Ａがじゃまになることはない。また、この封筒１では、裏片５Ａに繋がる係止片７Ａ中に新たな折り目線Ｐ７を設け、封筒の再使用時に、裏片５Ａをカット後の表片２Ａと同じ高さ／幅にして、係止片７Ａに封止片としての機能を持たせるようにしている。
【００６３】
このため、この封筒１では、封筒用紙Ｂを折り目線Ｐ１〜Ｐ４の位置で折り曲げることによって形成された初期使用封筒１Ｃの一部（封止片６Ａ等）を、開封に当たり切り離しても、係止片７Ａの利用によって、折り目線Ｐ１〜Ｐ３を当初の逆側に折り曲げることにより再使用封筒１Ｄを容易に形成できる。したがって、この封筒１においても、第１の実施形態に係る封筒１と同様な効果を得ることができる。
【００６４】
（７）第２の実施形態に係る封筒の変更実施例。
封筒用紙Ｂに切込線Ｌ３，Ｌ４を設けずに、例えば、切込線Ｌ４の位置にカット用のライン（線）と「カットライン」等の文字を印刷し、このライン（線）に沿って、ハサミやカッターで開封部８を切り離させるようにしてもよい。
【００６５】
係止部の内部切れ目３４の形状は、直線状以外に、突起部４４に対して凹状であれば、Ｖ状，Ｕ状等どのような形状であってもよい。
【００６６】
第２の実施形態に係る封筒１では、裏片５Ａに接着された封止貼着部６３が一部外部に露出して、再使用封筒１Ｄの美観をやや損ねるが、封筒用紙Ｂの形状を一部変更して、この封止貼着部６３の露出がほとんど生じないようにしてもよい。
【００６７】
図１４はこのような封筒用紙Ｃの形状を示している。この封筒用紙Ｃでは、左片３Ａ及び右片４Ａの上端側の角部をなくすとともに、裏片５Ａ及び係止片７Ａの左右長さを表片２Ａのそれとほぼ同一（係止片７Ａの折り入れが可能な程度）にしている。
【００６８】
このことにより、初期使用封筒１Ｃは封止片６Ａにより充分に封止されるとともに、開封後の封止貼着部６３も、裏片５Ａ側から外方に突出することはない。したがって封筒用紙Ｃを使用すれば、再使用封筒１Ｄの美観を改善することができる。なお、この変更実施形態に係る封筒１では、再使用に当たって、裏片５Ａ側を封筒の表面として使用してもよい。
【００６９】
図１５は左片３Ａと右片４Ａとを連結する係止部の他の突起部４４を示している。
図１５の（ａ）〜（ｃ）は、先端側が小さくなっている突起部４４Ａ，４４Ｂ，４４Ｃを示している。この場合、内部切れ目３４の長さを、これが位置することとなる突起部４４Ａ・・の根本の大きさとしておけば、これらの突起部４４Ａ・・と内部切れ目３４とによって、左片３Ａと右片４Ａとを効果的に連結できる。
【００７０】
図１５の（ｄ）〜（ｇ）は、先端側が大きくなっている突起部４４Ｄ，４４Ｅ，４４Ｆ，４４Ｇを示している。この場合、突起部４４Ｄ・・の先端側の上下長さと内部切れ目３４の長さとをほぼ同じにしておけば、これらの突起部４４Ｄ・・と内部切れ目３４とによって、左片３Ａと右片４Ａとを効果的に連結できる。もちろん、内部切れ目３４の上下長さは、突起部４４Ａ，・・の大きさ（最大長さ）より小さくてもよいし、又は大きくてもよい。小さい場合は、突起部４４Ａ，・・をやや湾曲させて内部切れ目３４に差し込めばよい。
【００７１】
なお、図１５の（ａ）は、三角突起を示し、図１５の（ｂ）は、半楕円突起を示し、図１５の（ｃ）は、台形突起を示し、図１５の（ｄ）は、逆台形突起を示し、図１５の（ｅ）は、円突起を示し、図１５の（ｆ）は、小矩形付き円突起を示し、図１５の（ｇ）は、小矩形付き菱形突起を示す。
【００７２】
（８）第３の実施形態に係る封筒
図１６は表片２の長辺側に左片３と右片４とが設けられた封筒用紙Ｄを示している。この封筒用紙Ｄによって形成される封筒には、左片３と右片４とに、これらを連結する複数（２つ）の係止部が設けられている。なお、図中、第１の実施形態で説明したものと同一機能を有するものには同一符号を付している。
【００７３】
この係止部は、左片３側に設けられた上下の内部切れ目３５と、この内部切れ目３５に対応して、右片４の右端側に設けられた突起部４５とから構成されている。突起部４５は上下両端側が半円弧状に形成されている。内部切れ目３５は、突起部４５の上下長さＦとほぼ同じ長さに形成されており、左片３と右片４との折り曲げに当たり、突起部４５のくびれ部４５ａの位置に位置決めされる。したがって、左片３と右片４とを折り曲げて、突起部４５を内部切れ目３５に差し込むと、２つの内部切れ目３５がそれぞれの突起部４５のくびれ部４５ａの位置に位置決めされて、左片３と右片４とはしっかりと連結される。
【００７４】
図１７は、上記封筒の左片３と右片４とを連結する係止部の他の例を示している。
図１７の（ａ）は、左片３の左端側に上下に長い凹部３６が形成され、右片４の右端側に上下に長い凸部４６が形成された係止部を示している。凹部３６は内側の上下両端部に凸円弧部３６ａが向き合うように形成され、凸円弧部３６ａの右端側に、上下に向いた切り込みＫ３，Ｋ４が形成されている。突部４６は上下両端側に凸円弧部４６ａが形成され、この凸円弧部４６ａ左端側に上下に向いた切り込みＫ５，Ｋ６が形成されている。
【００７５】
左片３と右片４とが表片２側に折り曲げられた際に、切り込みＫ３，Ｋ５の最奥端Ｓ８，Ｓ１０どうしは互いに同一位置に位置決めされ、切り込みＫ４，Ｋ６の最奥端Ｓ９，Ｓ１１どうしも互いに同一位置に位置決めされる。この係止部においても、切り込みＫ３，Ｋ４，Ｋ５，Ｋ６を介して、凹部３６と突部４６とが絡みあって、左片３と右片４とをしっかりと連結する。
【００７６】
図１７の（ｂ）は、左片３の左端側に段部Ｖ１と内部切れ目３７と三角突起３８とを設け、右片４の右端側に、左片３と点対称に、段部Ｖ２と内部切れ目４７と三角突起４８とを設けた係止部を示している。内部切れ目３７は段部Ｖ１の上部突起部Ｍ１中に上下に向くように設けられており、三角突起３８は、段部Ｖ１の下部へこみ部Ｍ２に設けられている。また、内部切れ目４７は段部Ｖ２の下部突起部Ｍ３中に上下に向くように設けられており、三角突起４８は、段部Ｖ２の上部へこみ部Ｍ４に設けられている。
【００７７】
内部切れ目３７，４７の長さは、これが位置することになる三角突起３８，４８の根本の大きさとほぼ同じになっている。この係止部においても、段部Ｖ１，Ｖ２を介して、左片３の一部と右片４の一部とが互いに上下に重なり合うとともに、互いの三角突起３８，４８が、それぞれの内部切れ目３７，４７内に差し込まれて、左片３と右片４とはしっかりと連結される。
【００７８】
なお、係止部は、封筒１の左片３，３Ａ側のものと、右片４，４Ａのものとを逆にしてもよいのはもちろんである。
【００７９】
（９）その他の実施形態
封止片６、６Ａは、裏片５、５Ａに対して、のり付け、接着テープ、両面テープなどで接着される。この両面テープ等は封止片６、６Ａの裏面に予め取り付けられていてもよい。表片２、２Ａの形状は、長方形、正方形、台形、平行四辺形、その他の方形、角の取れた八角形などでもよいし、楕円形、ひょうたん形など、特殊な形状でもよい。
【００８０】
上記封止片６、６Ａは省略されてもよい。この場合、裏片５、５Ａの先の係止片７、７Ａが封止片６、６Ａの役目を果たし、この係止片７、７Ａが封止片として、表片２、２Ａに貼り付けられる。また、上記係止片７、７Ａは省略されてもよい。これでも封筒の封止は可能である。さらに、裏片５、５Ａは省略されてもよい。この場合、封止片６、６Ａが直接右片４、４Ａまたは／及び左片３、３Ａに貼り付けられるとともに、表片２、２Ａに直接繋がった係止片７、７Ａが直接右片４、４Ａまたは／及び左片３、３Ａに貼り付けられる。
【００８１】
封止片６の基部６０及び先端部６１の形状は台形、長方形のほか、平行四辺形、帯状、三角形、半円形、三日月形など、どのような形でもよい。切離部６２の毛状も、帯状のほか、Ｖ字状、Ｌ字状、Ｗ字状、Ｓ字状、Ｕ字状など、切り離しできればどのような形状でもよい。
【００８２】
（１０）他の発明の効果
［１］ほぼ方形状の表片と、  この表片の方形の対向する二辺から外方に繋がるとともに、当該繋がる辺で同じ方向に折り返されて、当該先端が互いに容易に離脱可能なように連結される左片及び右片と、  上記左片及び右片が繋がる辺以外の表片の一辺から外方に繋がるとともに、上記左片及び右片を間に挟んで当該繋がる辺で折り返される裏片と、  この裏片、左片及び右片が繋がる辺以外の表片の一辺、または当該裏片の先の一辺から外方に繋がるとともに、当該繋がる辺で折り返され、上記裏片または表片に接着される封止片とを備えたことを特徴とする封筒。これにより、封止片を裏片から外し、裏片、左片及び右片を表片の反対側に折り返して、再び左片及び右片を互いに連結し、封止片を裏片に接着して、封筒を容易に裏返して再使用できるので、封筒の表面等に付いた汚れや宛先などを隠すことができ、再使用しても封筒の美観を損ねない。
【００８３】
［２］上記裏片の先の辺から外方に繋がるとともに、当該繋がる辺で折り返され、上記左片及び右片と上記表片との間に挿入される係止片をさらに備えたことを特徴とする請求項１記載の封筒。これにより、互いに連結された右片及び左片から裏片を容易に離脱できないように係止することができる。
【００８４】
［３］上記左片及び右片の連結、及び／または上記裏片の係止片の係止には、接着手段は使用されないことを特徴とする請求項１または２記載の封筒。これにより、封筒の再使用にあたって、この封筒を容易に裏返すことができる。
【００８５】
［４］上記裏片、左片及び右片は、上記表片より小さく、折り返したとき表片からはみ出さず、上記係止片は裏片より小さく、折り返したとき裏片からはみ出さないことを特徴とする請求項１、２または３記載の封筒。これにより、封筒を組み立てるとき、及び封筒を裏返すとき、裏片、左片及び右片は、表片よりはみ出さず、封筒の初期使用及び再使用が容易となる。
【００８６】
［５］上記左片または右片のうち、一方の片の先端に凸状の挿入片が形成され、他方の片にこの挿入片が挿通される切れ目が形成されることを特徴とする請求項１、２、３または４記載の封筒。これにより、左片と右片とが容易に離脱可能なように連結される。
【００８７】
［６］上記左片または右片のうち、一方の片の先端からおおよそ上方に延びる切れ目が形成され、他方の片の先端からおおよそ下方に延びる切れ目が形成され、一方の切れ目と他方の切れ目とが係合され、左片及び右片を連結したとき両切れ目の一番奥の地点は互いにほぼ一致することを特徴とする請求項１、２、３または４記載の封筒。これにより、左片と右片とが容易に離脱可能なように連結される。
【００８８】
［７］上記封止片は先端部と基部とからなり、先端部ばかりでなく基部まで裏片に到達可能であり、当該封筒の最初の使用では先端部のみが上記裏片に接着され、再使用では基部が先端部から切り離され、裏返されてこの基部のみが裏片に接着されることを特徴とする請求項１、２、３、４、５または６記載の封筒。これにより、最初の使用における開封で、破損または汚れた封止片の先端部を再度使用しないで済み、しかも裏返した裏片の裏側にこの使用した先端部を隠すことができ、再使用時の美観を損ねることがない。
【００８９】
［８］再使用では、上記裏片に接着された封止片は使用されず、代わりに、上記係止片が、封止片として使用されることを特徴とする請求項１、２、３、４、５、６または７記載の封筒。これにより、最初の使用における開封で、破損または汚れた封止片を再度使用しないで済み、しかも裏返した裏片の裏側にこの使用した封止片を隠すことができ、再使用時の美観を損ねることがない。
【００９０】
［９］上記表片の高さ／幅は裏片の高さ／幅より大きく、再使用時では、上記係止片の高さ／幅が短くなるように新たに折り返され、上記表片の高さ／幅は裏片の高さ／幅とほぼ同じとなり、係止片は封止片として使用されることを特徴とする請求項８記載の封筒。これにより、表片と封止片との折り目に沿ってやや内側を切り取っても、係止片を裏片から切り取ってしまうことがない。
【図面の簡単な説明】
【００９１】
【図１】この発明の第１の実施形態に係る封筒を形成する封筒用紙の平面図である。
【図２】図１の封筒用紙を折り曲げて初期封筒１Ａを形成している状態を示す斜視図である。
【図３】初期使用封筒１Ａをつくるための、封筒用紙の折り曲げ手順を示す図である。
【図４】初期使用封筒１Ａを開封し、折り広げる手順を示す図である。
【図５】初期使用封筒１Ａを折り広げた状態を示す図であり、（ａ）は封筒用紙Ａ１の表面側を示し、（ｂ）は、封筒用紙Ａ１の裏面側を示す。
【図６】再使用封筒１Ｂをつくるための、封筒用紙Ａ１の折り曲げ手順を示す図である。
【図７】第１の実施形態に係る封筒の、左片と右片の係止部の変更例を示す図である。
【図８】この発明の第２の実施形態に係る封筒を形成する封筒用紙の平面図である。
【図９】図８の封筒用紙を折り曲げて、初期使用封筒１Ｃを形成している状態を示す斜視図である。
【図１０】初期使用封筒１Ｃをつくるための、封筒用紙の折り曲げ手順を示す図である。
【図１１】初期使用封筒１Ｃを開封し、折り広げる手順を示す図である。
【図１２】初期使用封筒１Ｃを折り広げた状態を示す図であり、（ａ）は封筒用紙Ｂ１の表面側を示し、（ｂ）は封筒用紙Ｂ１の裏面側を示す。
【図１３】再使用封筒１Ｄを作るための、封筒用紙Ｂ１の折り曲げ手順を示す図である。
【図１４】第２の実施形態の変更実施形態に係る封筒を形成する封筒用紙の平面図である。
【図１５】第２の実施形態に係る封筒の、左片又は右片の連結用突起部の他の例を示す図である。
【図１６】第３の実施形態に係る封筒を形成する封筒用紙の平面図である。
【図１７】図１６で示される封筒用紙から形成される封筒の、左片と右片の係止部の他の例を示す図である。
【図１８】従来の封筒の説明図である。
【符号の説明】
【００９２】
１…封筒、１Ａ、１Ｃ…初期使用封筒、１Ｂ、１Ｄ…再使用封筒、
２，２Ａ…表片、３，３Ａ…左片、４，４Ａ…右片、
５，５Ａ…裏片、６，６Ａ…封止片、７，７Ａ…係止片、
８…開封部、３０，３１…上突部、
３０ａ，３６ａ，４０ａ，４６ａ…凸円弧部、
３１ｂ，４１ｂ…Ｖ状突起、３２，３３，４２，４３…切れ目、
３４，３５，３７，４７…内部切れ目、３６…凹部、
３８，４４，４５，４８…突起部（挿入片）、４０，４１…下突部、
４４ａ…円弧部、４５ａ…くびれ部、４６…突部、
６０…基部、６１…先端部、６２…切離部、６３…封止貼着部、
１００…裏片、１０１…通信片、１０２…表片、１０３…左片、
１０４…右片、１０５…封止片、１０６，１０７…切込片、
Ａ，Ａ１，Ｂ、Ｂ１，Ｃ…封筒用紙、Ｇ１，Ｇ２…外形線、
Ｊ１〜Ｊ３…糊付部、Ｋ１〜Ｋ６…切込み、Ｌ１〜Ｌ４…切込線、
Ｎ１…表面、Ｎ２…裏面、Ｐ１〜Ｐ６…折り目線、
Ｒ１…幅サイズ、Ｒ２…高さサイズ、
Ｓ１，Ｓ２，Ｓ４〜Ｓ１１…最奥端、Ｔ…切手、
Ｕ１…住所、Ｕ２…氏名、Ｕ３…郵便番号、Ｕ４…住所氏名、
Ｖ１，Ｖ２…段部、Ｗ１，Ｗ２…郵便番号記入枠、
Ｘ１，Ｘ２…Ｖ溝点、Ｚ…中心点
【図１】
2005280816.tif 000003
【図２】
2005280816.tif 000004
【図３】
2005280816.tif 000005
【図４】
2005280816.tif 000006
【図５】
2005280816.tif 000007
【図６】
2005280816.tif 000008
【図７】
2005280816.tif 000009
【図８】
2005280816.tif 000010
【図９】
2005280816.tif 000011
【図１０】
2005280816.tif 000012
【図１１】
2005280816.tif 000013
【図１２】
2005280816.tif 000014
【図１３】
2005280816.tif 000015
【図１４】
2005280816.tif 000016
【図１５】
2005280816.tif 000017
【図１６】
2005280816.tif 000018
【図１７】
2005280816.tif 000019
【図１８】
2005280816.tif 000020